【手続補正書】
【提出日】平成29年10月13日(2017.10.13)
【手続補正１】
【補正対象書類名】特許請求の範囲
【補正対象項目名】全文
【補正方法】変更
【補正の内容】
【特許請求の範囲】
【請求項１】
ワイヤレス通信のための第１の装置であって、
第２の装置が第１のヘッダ情報を記憶するための要求を生成することと、ここにおいて、前記要求は前記第１のヘッダ情報を備える、
前記第２の装置からの応答を受信することと、
前記第２の装置が前記第１のヘッダ情報を記憶するかどうか決定するために、前記第２の装置からの前記応答を復号することと、
第１のヘッダを生成することと、前記第１のヘッダは、前記第２の装置が前記第１のヘッダ情報を記憶する場合、その中に前記第１のヘッダ情報をもたずに生成される、を行うように構成された処理システムと、
前記要求と前記第１のヘッダとを、前記第２の装置への送信用に出力するためのインターフェースと、ここにおいて、前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記第１のヘッダ情報は、第１のフィールド記憶指示または第２のフィールド記憶指示のうちの少なくとも１つをさらに備え、前記第１のフィールド記憶指示は、前記第２の装置に、前記第１のフィールドを記憶するよう要求するために１に設定され、前記第２のフィールド記憶指示は、前記第２の装置に、前記第２のフィールドを記憶するよう要求するために１に設定される、を備える、第１の装置。
【請求項２】
前記処理システムは、第２のヘッダ情報を含むように第２のヘッダを生成することと、ここにおいて、前記第２のヘッダ情報は前記第１のヘッダ情報とは異なり、前記第２のヘッダ情報をもたずに第３のヘッダを生成することとを行うようにさらに構成され、前記インターフェースは、前記第２および第３のヘッダを前記第２の装置への送信用に出力するようにさらに構成される、請求項１に記載の第１の装置。
【請求項３】
前記処理システムは、前記第１のヘッダが前記第１のヘッダ情報を含まないことを前記第２の装置に対して示すように前記第１のヘッダを生成するようにさらに構成される、請求項１に記載の第１の装置。
【請求項４】
前記第１のヘッダ情報は、ブロック連鎖メッセージ認証コードプロトコルつきカウンタ暗号モード（ＣＣＭＰ）ヘッダに関連付けられた１つまたは複数のパケット番号を備える、請求項１に記載の第１の装置。
【請求項５】
前記第１のヘッダ情報は、暗号ブロック連鎖メッセージ認証コードプロトコルつきカウンタモード（ＣＣＭＰ）ヘッダに関連付けられたキー識別子を備える、請求項１に記載の第１の装置。
【請求項６】
前記第１のヘッダ情報は、アグリゲートＭＳＤＵ（Ａ−ＭＳＤＵ）中にカプセル化されたＭＡＣサービスデータユニット（ＭＳＤＵ）に関連付けられた宛先アドレスまたはソースアドレス情報を備える、請求項１に記載の第１の装置。
【請求項７】
前記要求は、前記第２の装置に第１のＡ−ＭＳＤＵを送信するための許可をさらに要求するように生成され、前記第１のＡ−ＭＳＤＵはソースアドレスフィールドも宛先アドレスフィールドも含まない、請求項１に記載の第１の装置。
【請求項８】
前記要求は、第１のＡ−ＭＳＤＵと第２のＡ−ＭＳＤＵの両方を前記第２の装置に送信するための許可をさらに要求するように生成され、前記第１のＡ−ＭＳＤＵはソースアドレスフィールドも宛先アドレスフィールドも含まず、前記第２のＡ−ＭＳＤＵはソースアドレスフィールドと宛先アドレスフィールドとを含む、請求項７に記載の第１の装置。
【請求項９】
ワイヤレス通信のための方法であって、
第１のワイヤレスデバイスによって、第２のワイヤレスデバイスが第１のヘッダ情報を記憶するための要求を生成することと、ここにおいて、前記要求は前記第１のヘッダ情報を備える、
前記第２のワイヤレスデバイスからの応答を受信することと、
前記第２のワイヤレスデバイスが前記第１のヘッダ情報を記憶するかどうか決定するために、前記第２のワイヤレスデバイスからの前記応答を復号することと、
第１のヘッダを生成することと、前記第１のヘッダは、前記第２のワイヤレスデバイスが前記第１のヘッダ情報を記憶する場合、その中に前記第１のヘッダ情報をもたずに生成される、
前記要求と前記第１のヘッダとを、前記第２のワイヤレスデバイスへの送信用に出力することと、
ここにおいて、前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記第１のヘッダ情報は、第１のフィールド記憶インジケータまたは第２のフィールド記憶インジケータのうちの少なくとも１つをさらに備え、前記第１のフィールド記憶インジケータは、前記第２の装置に、前記第１のフィールドを記憶するよう要求するために１に設定され、前記第２のフィールド記憶インジケータは、前記第２の装置に、前記第２のフィールドを記憶するよう要求するために１に設定される、を備える、方法。
【請求項１０】
ワイヤレス通信のための第１の装置であって、
第２の装置からの要求を受信することと、ここにおいて、前記要求は第１のヘッダ情報を備える、
前記第１のヘッダ情報を記憶するための要求を識別するために、前記第２の装置からの前記要求を復号することと、
前記第１の装置が前記第１のヘッダ情報を記憶するかどうかを示す応答を生成することと、
前記第１のヘッダ情報を第１の記憶ヘッダ情報として記憶することと、
前記第２の装置からの第１のヘッダを受信することと、
前記第１のヘッダが前記第１のヘッダ情報に対応するヘッダ情報を含まないと決定することと、
前記第１のヘッダが前記対応するヘッダ情報を含まない場合、前記第１の記憶ヘッダ情報に基づいて前記第１のヘッダを処理することとを行うように構成された処理システムと、
前記応答を、前記第２の装置への送信用に出力するためのインターフェースと、ここにおいて、前記第１のヘッダ情報は、第１のフィールドまたは第２のフィールドのうちの少なくとも１つを備え、前記第１のフィールドまたは前記第２のフィールドのうちの前記少なくとも１つは前記第１のヘッダに関連付けられたソースアドレスまたは宛先アドレスを備え、前記第１のヘッダ情報は、第１のフィールド記憶インジケータまたは第２のフィールド記憶インジケータのうちの少なくとも１つをさらに備え、前記第１のフィールド記憶インジケータは、前記第２の装置に、前記第１のフィールドを記憶するよう要求するために１に設定され、前記第２のフィールド記憶インジケータは、前記第２の装置に、前記第２のフィールドを記憶するよう要求するために１に設定される、を備える、第１の装置。
【請求項１１】
前記処理システムは、
前記第２の装置からの第２のヘッダを受信することと、
前記第２の装置からの前記第２のヘッダを復号することと、
前記第２のヘッダが、前記第１のヘッダ情報に対応する第２のヘッダ情報を含むと決定することと、
前記第２のヘッダ情報を第２の記憶ヘッダ情報として記憶することと、
前記第２の装置からの第３のヘッダを受信することと、
前記第２の装置からの前記第３のヘッダを復号することと、
前記第３のヘッダが、前記第２のヘッダ情報に対応するヘッダ情報を含まないと決定することと、
前記第２の記憶ヘッダ情報に基づいて前記第３のヘッダを処理することとを行うようにさらに構成される、請求項１０に記載の第１の装置。
【請求項１２】
前記応答は、前記装置によって処理可能であるＡ−ＭＳＤＵのタイプを示す少なくとも１ビットを備えるように生成される、請求項１０に記載の第１の装置。
【請求項１３】
前記処理システムは、Ａ−ＭＳＤＵのタイプを示す、前記応答中の前記少なくとも１ビットを、第１のＡ−ＭＳＤＵ、第２のＡ−ＭＳＤＵ、または前記第１および前記第２のＡ−ＭＳＤＵのうちの１つを示す値に設定するようにさらに構成され、前記第１のＡ−ＭＳＤＵはソースアドレスフィールドも宛先アドレスフィールドも含まず、前記第２のＡ−ＭＳＤＵは、ソースアドレスフィールドまたは宛先アドレスフィールドを含む、請求項１２に記載の第１の装置。
【請求項１４】
ワイヤレス通信のための方法であって、
第１のワイヤレスデバイスによって、第２のワイヤレスデバイスからの要求を受信することと、ここにおいて、前記要求は第１のヘッダ情報を備える、
前記第１のヘッダ情報を記憶するために、前記第１のワイヤレスデバイスによって、前記第２のワイヤレスデバイスからの前記要求を復号することと、
前記第１のワイヤレスデバイスが前記第１のヘッダ情報を記憶するかどうかを示す応答を生成することと、
前記応答を、前記第２のワイヤレスデバイスへの送信用に出力することと、
前記第１のヘッダ情報を第１の記憶ヘッダ情報として記憶することと、
前記第１のワイヤレスデバイスによって、前記第２のワイヤレスデバイスからの第１のヘッダを受信することと、
前記第１のヘッダが、前記第１のヘッダ情報に対応するヘッダ情報を含まないと決定することと、
前記第１のヘッダが前記対応するヘッダ情報を含まない場合、
前記第１の記憶ヘッダ情報に基づいて前記第１のヘッダを処理することと、
ここにおいて、前記第１のヘッダ情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備え、前記第１のヘッダ情報は、第１のフィールド記憶インジケータまたは第２のフィールド記憶インジケータのうちの少なくとも１つをさらに備え、前記第１のフィールド記憶インジケータは、前記第２の装置に、前記第１のフィールドを記憶するよう要求するために１に設定され、前記第２のフィールド記憶インジケータは、前記第２の装置に、前記第２のフィールドを記憶するよう要求するために１に設定される、を備える、方法。
【請求項１５】
実行されると、プロセッサに請求項９および１４のうちのいずれか一項に記載の方法のステップを行わせる命令が符号化された、コンピュータ可読媒体を備えるコンピュータプログラム製品。
【手続補正２】
【補正対象書類名】明細書
【補正対象項目名】０２２５
【補正方法】変更
【補正の内容】
【０２２５】
[00251]  上記は本開示の態様を対象とするが、本開示の他の態様は、それらの基本的な範囲から逸脱することなく考案でき、それらの範囲は、以下の特許請求の範囲によって決定される。
以下に、本願の出願当初の特許請求の範囲に記載された発明を付記する。
［Ｃ１］
ワイヤレス通信のための第１の装置であって、
第２の装置が第１の情報を記憶するための要求を生成することと、ここにおいて、前記要求は前記第１の情報を備える、
前記第２の装置からの応答を受信することと、
前記第２の装置が前記第１の情報を記憶するかどうか決定するために、前記第２の装置からの前記応答を復号することと、
第１のヘッダを生成することと、前記第１のヘッダは、前記第２の装置が前記第１の情報を記憶する場合、その中に前記第１の情報をもたずに生成される、を行うように構成された処理システムと、
前記要求と前記第１のヘッダとを、前記第２の装置への送信用に出力するためのインターフェースとを備える、第1の装置。
［Ｃ２］
前記処理システムは、第２の情報を含むように第２のヘッダを生成することと、ここにおいて、前記第２の情報は前記第１の情報とは異なる、前記第２の情報をもたずに第３のヘッダを生成することとを行うようにさらに構成され、前記インターフェースは、前記第２および第３のヘッダを前記第２の装置への送信用に出力するようにさらに構成される、Ｃ１に記載の第１の装置。
［Ｃ３］
前記処理システムは、前記第１のヘッダが前記第１の情報を含まないことを前記第２の装置に対して示すように前記第１のヘッダを生成するようにさらに構成される、Ｃ１に記載の第１の装置。
［Ｃ４］
前記第１の情報は、ブロック連鎖メッセージ認証コードプロトコルつきカウンタ暗号モード（ＣＣＭＰ）ヘッダに関連付けられた１つまたは複数のパケット番号を備える、Ｃ１に記載の第１の装置。
［Ｃ５］
前記第１の情報は、暗号ブロック連鎖メッセージ認証コードプロトコルつきカウンタモード（ＣＣＭＰ）ヘッダに関連付けられたキー識別子を備える、Ｃ１に記載の第１の装置。
［Ｃ６］
前記第１の情報は、アグリゲートＭＳＤＵ（Ａ−ＭＳＤＵ）中にカプセル化されたＭＡＣサービスデータユニット（ＭＳＤＵ）に関連付けられた宛先アドレスまたはソースアドレス情報を備える、Ｃ１に記載の第１の装置。
［Ｃ７］
前記要求は、前記第２の装置に第１のＡ−ＭＳＤＵを送信するための許可をさらに要求するように生成され、前記第１のＡ−ＭＳＤＵはソースアドレスフィールドも宛先アドレスフィールドも含まない、Ｃ７に記載の第１の装置。
［Ｃ８］
前記要求は、第１のＡ−ＭＳＤＵと第２のＡ−ＭＳＤＵの両方を前記第２の装置に送信するための許可をさらに要求するように生成され、前記第１のＡ−ＭＳＤＵはソースアドレスフィールドも宛先アドレスフィールドも含まず、前記第２のＡ−ＭＳＤＵはソースアドレスフィールドと宛先アドレスフィールドとを含む、Ｃ７に記載の第１の装置。
［Ｃ９］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ１に記載の第１の装置。
［Ｃ１０］
前記第１の情報は、第１のフィールド記憶フィールドまたは第２のフィールド記憶フィールドのうちの少なくとも１つをさらに備え、前記第１のフィールド記憶フィールドは、前記第２の装置に、前記第１のフィールドを記憶するよう要求するために１に設定され、前記第２のフィールド記憶フィールドは、前記第２の装置に、前記第２のフィールドを記憶するよう要求するために１に設定される、Ｃ９に記載の第１の装置。
［Ｃ１１］
ワイヤレス通信のための方法であって、
第１のワイヤレスデバイスによって、第２のワイヤレスデバイスが第１の情報を記憶するための要求を生成することと、ここにおいて、前記要求は前記第１の情報を備える、
前記第２のワイヤレスデバイスからの応答を受信することと、
前記第２のワイヤレスデバイスが前記第１の情報を記憶するかどうか決定するために、前記第２のワイヤレスデバイスからの前記応答を復号することと、
第１のヘッダを生成することと、前記第１のヘッダは、前記第２のワイヤレスデバイスが前記第１の情報を記憶する場合、その中に前記第１の情報をもたずに生成される、
前記要求と前記第１のヘッダとを、前記第２のワイヤレスデバイスへの送信用に出力することとを備える、方法。
［Ｃ１２］
前記第１の情報とは異なる第２の情報を含むように、第２のヘッダを生成することと、
前記第２のヘッダを、前記第２のワイヤレスデバイスへの送信用に出力することと、
前記第２の情報をもたない第３のヘッダを生成することと、
前記第３のヘッダを、前記第２のワイヤレスデバイスへの送信用に出力することとをさらに備える、Ｃ１１に記載の方法。
［Ｃ１３］
前記第１のヘッダが前記第１の情報を含まないことを前記第２のワイヤレスデバイスに対して示すように、前記第１のヘッダを生成することをさらに備える、Ｃ１１に記載の方法。
［Ｃ１４］
前記第１の情報は、暗号ブロック連鎖メッセージ認証コードプロトコルつきカウンタモード（ＣＣＭＰ）ヘッダに関連付けられた１つまたは複数のパケット番号を備える、Ｃ１１に記載の方法。
［Ｃ１５］
前記第１の情報は、暗号ブロック連鎖メッセージ認証コードプロトコルつきカウンタモード（ＣＣＭＰ）ヘッダに関連付けられたキー識別子を備える、Ｃ１１に記載の方法。
［Ｃ１６］
前記第１の情報は、アグリゲートＭＳＤＵ（Ａ−ＭＳＤＵ）中にカプセル化されたＭＡＣサービスデータユニット（ＭＳＤＵ）に関連付けられた宛先アドレスまたはソースアドレス情報を備える、Ｃ１１に記載の方法。
［Ｃ１７］
前記第２のワイヤレスデバイスに第１のＡ−ＭＳＤＵを送信するための許可を要求するために、前記要求を生成することをさらに備え、前記第１のＡ−ＭＳＤＵはソースアドレスフィールドも宛先アドレスフィールドも含まない、Ｃ１６に記載の方法。
［Ｃ１８］
第１のＡ−ＭＳＤＵと第２のＡ−ＭＳＤＵの両方を前記第２のワイヤレスデバイスに送信するための許可を要求するために、前記要求を生成することをさらに備え、前記第１のＡ−ＭＳＤＵはソースアドレスフィールドも宛先アドレスフィールドも含まず、前記第２のＡ−ＭＳＤＵはソースアドレスフィールドと宛先アドレスフィールドとを含む、Ｃ１６に記載の方法。
［Ｃ１９］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ１１に記載の方法。
［Ｃ２０］
前記第１の情報は、第１のフィールド記憶フィールドまたは第２のフィールド記憶フィールドのうちの少なくとも１つをさらに備え、前記第１のフィールド記憶フィールドは、前記第２の装置に、前記第１のフィールドを記憶するよう要求するために１に設定され、前記第２のフィールド記憶フィールドは、前記第２の装置に、前記第２のフィールドを記憶するよう要求するために１に設定される、Ｃ１９に記載の方法。
［Ｃ２１］
ワイヤレス通信のためのワイヤレスノードであって、
少なくとも１つのアンテナと、
処理システムとを備え、前記処理システムは、
前記少なくとも１つのアンテナを介して、第２のワイヤレスノードが第１の情報を記憶するための要求を送信することと、ここにおいて、前記要求は前記第１の情報を備える、
前記第２のワイヤレスデバイスからの応答を受信することと、
前記第２のワイヤレスデバイスが前記第１の情報を記憶するかどうか決定するために、前記第２のワイヤレスデバイスからの前記応答を復号することと、
第１のヘッダを生成することと、前記第１のヘッダは、前記第２のワイヤレスノードが前記第１の情報を記憶する場合、前記第１の情報をもたずに生成される、
前記少なくとも１つのアンテナを介して、前記第１のヘッダを前記第２のワイヤレスノードに送信することとを行うように構成する、ワイヤレスノード。
［Ｃ２２］
ワイヤレス通信のための第１の装置であって、
第２の装置が第１の情報を記憶するための要求を生成するための手段と、ここにおいて、前記要求は前記第１の情報を備える、
前記第２の装置からの応答を受信するための手段と、
前記第２の装置が前記第１の情報を記憶するかどうか決定するために、前記第２の装置からの応答を復号するための手段と、
第１のヘッダを生成するための手段と、前記第１のヘッダは、前記第２の装置が前記第１の情報を記憶する場合、その中に前記第１の情報をもたずに生成される、
前記要求と前記第１のヘッダとを前記第２の装置に送信するための手段とを備える、第１の装置。
［Ｃ２３］
第２の情報を含むように前記第２のヘッダを生成するための手段と、ここにおいて、前記第２の情報は前記第１の情報とは異なる、
前記第２のヘッダを前記第２の装置に送信するための手段と、
前記第３のヘッダを、その中に前記第２の情報をもたずに生成するための手段と、
前記第３のヘッダを前記第２の装置に送信するための手段とをさらに備える、Ｃ２２に記載の第１の装置。
［Ｃ２４］
前記第１のヘッダが前記第１の情報を含まないことを前記第２の装置に対して示すように、前記第１のヘッダを生成するための手段をさらに備える、Ｃ２２に記載の第１の装置。
［Ｃ２５］
前記要求を生成するための前記手段は、暗号ブロック連鎖メッセージ認証コードプロトコルつきカウンタモード（ＣＣＭＰ）ヘッダに関連付けられた１つまたは複数のパケット番号を含むように、前記第１の情報を生成するように構成される、Ｃ２２に記載の第１の装置。
［Ｃ２６］
前記要求を生成するための前記手段は、暗号ブロック連鎖メッセージ認証コードプロトコルつきカウンタモード（ＣＣＭＰ）ヘッダに関連付けられたキー識別子を含むように、前記第１の情報を生成するように構成される、Ｃ２２に記載の第１の装置。
［Ｃ２７］
前記要求を生成するための前記手段は、アグリゲートＭＳＤＵ（Ａ−ＭＳＤＵ）中にカプセル化されたＭＡＣサービスデータユニット（ＭＳＤＵ）に関連付けられた宛先アドレスまたはソースアドレス情報を含むように、第１の情報を生成するように構成される、Ｃ２２に記載の第１の装置。
［Ｃ２８］
前記要求を生成するための前記手段は、前記第２の装置に第１のＡ−ＭＳＤＵを送信するための許可についての要求を生成するように構成され、前記第１のＡ−ＭＳＤＵはソースアドレスフィールドも宛先アドレスフィールドも含まない、Ｃ２７に記載の第１の装置。
［Ｃ２９］
前記要求を生成するための前記手段は、第１のＡ−ＭＳＤＵと第２のＡ−ＭＳＤＵの両方を前記第２の装置に送信するための許可についての要求を生成するように構成され、前記第１のＡ−ＭＳＤＵはソースアドレスフィールドも宛先アドレスフィールドも含まず、前記第２のＡ−ＭＳＤＵはソースアドレスフィールドと宛先アドレスフィールドとを含む、Ｃ２７に記載の第１の装置。
［Ｃ３０］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ２２に記載の第１の装置。
［Ｃ３１］
前記第１の情報は、第１のフィールド記憶フィールドまたは第２のフィールド記憶フィールドのうちの少なくとも１つをさらに備え、前記第１のフィールド記憶フィールドは、前記第２の装置に、前記第１のフィールドを記憶するよう要求するために１に設定され、前記第２のフィールド記憶フィールドは、前記第２の装置に、前記第２のフィールドを記憶するよう要求するために１に設定される、Ｃ３０に記載の第１の装置。
［Ｃ３２］
実行されると、第１の装置にワイヤレス通信の方法を行わせる命令が符号化された、コンピュータ可読媒体を備えるコンピュータプログラム製品であって、前記方法は、
第２の装置に、第１の情報を記憶するための要求を生成することと、ここにおいて、前記要求は前記第１の情報を備える、
前記第２の装置からの応答を受信することと、
前記第１の装置が前記第１の情報を記憶するかどうか決定するために、前記第２の装置からの前記応答を復号することと、
第１のヘッダを生成することと、前記第１のヘッダは、前記第２の装置が前記第１の情報を記憶する場合、その中に前記第１の情報をもたずに生成される、
前記要求と前記第１のヘッダとを、前記第２の装置への送信用に出力することとを備える、コンピュータプログラム製品。
［Ｃ３３］
ワイヤレス通信のための第１の装置であって、
第２の装置からの要求を受信することと、ここにおいて、前記要求は第１の情報を備える、
前記第１の情報を記憶するための要求を識別するために、前記第２の装置からの前記要求を復号することと、
前記第１の装置が前記第１の情報を記憶するかどうかを示す応答を生成することとを行うように構成された処理システムと、
前記応答を、前記第２の装置への送信用に出力するためのインターフェースと、ここにおいて、前記処理システムは、
前記第１の情報を第１の記憶情報として記憶することと、
前記第２の装置からの第１のヘッダを受信することと、
前記第２の装置からの前記第１のヘッダを復号することと、
前記第１の記憶情報に基づいて前記第１のヘッダを処理することとを行うようにさらに構成される、を備える第１の装置。
［Ｃ３４］
前記処理システムは、
前記第２の装置からの第２のヘッダを受信することと、
前記第２の装置からの前記第２のヘッダを復号することと、
前記第２のヘッダが、前記第１の情報に対応する第２のヘッダ情報を含むと決定することと、
前記第２のヘッダ情報を第２の記憶情報として記憶することと、
前記第２の装置からの第３のヘッダを受信することと、
前記第２の装置からの前記第３のヘッダを復号することと、
前記第３のヘッダが、前記第２のヘッダ情報に対応するヘッダ情報を含まないと決定することと、
前記第２の記憶情報に基づいて前記第３のヘッダを処理することとを行うようにさらに構成される、Ｃ３３に記載の第１の装置。
［Ｃ３５］
前記応答は、前記装置によって処理可能であるＡ−ＭＳＤＵのタイプを示す少なくとも１ビットを備えるように生成される、Ｃ３３に記載の第１の装置。
［Ｃ３６］
前記処理システムは、Ａ−ＭＳＤＵのタイプを示す、前記応答中の前記少なくとも１ビットを、第１のＡ−ＭＳＤＵ、第２のＡ−ＭＳＤＵ、または前記第１および前記第２のＡ−ＭＳＤＵのうちの１つを示す値に設定するようにさらに構成され、前記第１のＡ−ＭＳＤＵはソースアドレスフィールドも宛先アドレスフィールドも含まず、前記第２のＡ−ＭＳＤＵは、ソースアドレスフィールドまたは宛先アドレスフィールドを含む、Ｃ３５に記載の第１の装置。
［Ｃ３７］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ３３に記載の第１の装置。
［Ｃ３８］
前記第１の情報は、第１のフィールド記憶フィールドまたは第２のフィールド記憶フィールドのうちの少なくとも１つをさらに備え、前記第１のフィールド記憶フィールドは、前記第１の装置に、前記第１のフィールドを記憶するよう要求するために１に設定され、前記第２のフィールド記憶フィールドは、前記第１の装置に、前記第２のフィールドを記憶するよう要求するために１に設定される、Ｃ３７に記載の第１の装置。
［Ｃ３９］
ワイヤレス通信のための方法であって、
第１のワイヤレスデバイスによって、第２のワイヤレスデバイスからの要求を受信することと、ここにおいて、前記要求は第１の情報を備える、
前記第１の情報を記憶するために、前記第１のワイヤレスデバイスによって、前記第２のワイヤレスデバイスからの前記要求を復号することと、
前記第１のワイヤレスデバイスが前記第１の情報を記憶するかどうかを示す応答を生成することと、
前記応答を、前記第２のワイヤレスデバイスへの送信用に出力することと、
前記第１の情報を第１の記憶情報として記憶することと、
前記第１のワイヤレスデバイスによって、前記第２のワイヤレスデバイスからの第１のヘッダを受信することと、
前記第１のワイヤレスデバイスによって、前記第２のワイヤレスデバイスからの前記第１のヘッダを復号することと、
前記第１のヘッダが、前記第１の情報に対応するヘッダ情報を含まないと決定することと、
前記第１の記憶情報に基づいて前記第１のヘッダを処理することとを備える、方法。
［Ｃ４０］
前記第１のワイヤレスデバイスによって、前記第２のワイヤレスデバイスからの第２のヘッダを受信することと、
前記第１のワイヤレスデバイスによって、前記第２のワイヤレスデバイスからの前記第２のヘッダを復号することと、
前記第２のヘッダが、前記第１の情報に対応する第２の情報を含むと決定することと、
前記第２の情報を第２の記憶情報として記憶することと、
前記第１のワイヤレスデバイスによって、前記第２のワイヤレスデバイスからの第３のヘッダを受信することと、
前記第１のワイヤレスデバイスによって、前記第２のワイヤレスデバイスからの前記第３のヘッダを復号することと、
前記第３のヘッダが、前記第２の情報に対応するヘッダ情報を含まないと決定することと、
前記決定することに基づいて、前記第２の記憶情報に基づいて前記第３のヘッダを処理するとをさらに備える、Ｃ３９に記載の方法。
［Ｃ４１］
前記応答は、前記第１のワイヤレスデバイスによって処理可能であるＡ−ＭＳＤＵのタイプを示す少なくとも１ビットを備えるように生成される、Ｃ３９に記載の方法。
［Ｃ４２］
Ａ−ＭＳＤＵのタイプを示す、前記応答中の前記少なくとも１ビットを、第１のＡ−ＭＳＤＵ、第２のＡ−ＭＳＤＵ、または前記第１および前記第２のＡ−ＭＳＤＵのうちの１つを示す値に設定することをさらに備え、前記第１のＡ−ＭＳＤＵはソースアドレスフィールドも宛先アドレスフィールドも含まず、前記第２のＡ−ＭＳＤＵは、ソースアドレスフィールドと宛先アドレスフィールドとを含む、Ｃ４１に記載の方法。
［Ｃ４３］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ３９に記載の方法。
［Ｃ４４］
前記第１の情報は、第１のフィールド記憶フィールドまたは第２のフィールド記憶フィールドのうちの少なくとも１つをさらに備え、前記第１のフィールド記憶フィールドは、前記第１の装置に、前記第１のフィールドを記憶するよう要求するために１に設定され、前記第２のフィールド記憶フィールドは、前記第１の装置に、前記第２のフィールドを記憶するよう要求するために１に設定される、Ｃ４３に記載の方法。
［Ｃ４５］
ワイヤレス通信のためのワイヤレスノードであって、
少なくとも１つのアンテナと、
処理システムとを備え、前記処理システムは、
前記少なくとも１つのアンテナを介して、第２のワイヤレスノードからの要求を受信することと、ここにおいて、前記要求は第１の情報を備える、
前記第１の情報を記憶するための要求を識別するために、前記第２のワイヤレスノードからの前記要求を復号することと、
前記ワイヤレスノードが前記第１の情報を記憶するかどうかを示す応答を生成することと、
前記少なくとも１つのアンテナを介して、前記応答を前記第２のワイヤレスノードに送信することと、
前記第１の情報を第１の記憶情報として記憶することと、
前記少なくとも１つのアンテナを介して、前記第２のワイヤレスノードからの第１のヘッダを受信することと、
前記第２のワイヤレスノードからの前記第１のヘッダを復号することと、
前記第１のヘッダが、前記第１の情報に対応するヘッダ情報を含まないと決定することと、
前記第１の記憶情報に基づいて前記第１のヘッダを処理することとを行うように構成される、ワイヤレスノード。
［Ｃ４６］
ワイヤレス通信のための第１の装置であって、
第２の装置からの要求を受信するための手段と、ここにおいて、前記要求は第１の情報を備える、
前記第２の装置からの前記要求を復号するための手段と、復号するための前記手段は、前記第１の情報を記憶するための要求を識別するように構成される、
前記第１の装置が前記第１の情報を記憶するかどうかを示す応答を生成するための手段と、
前記応答を前記第２の装置に送信するための手段と、
前記第１の情報を第１の記憶情報として記憶するための手段と、
前記第２の装置からの第１のヘッダを受信するための手段と、
前記第２の装置からの前記第１のヘッダを復号するための手段と、
前記第１のヘッダが第１の情報に対応するヘッダ情報を含まないと決定するための手段と、
前記第１の記憶情報に基づいて前記第１のヘッダを処理するための手段とを備える、第１の装置。
［Ｃ４７］
前記第２のワイヤレスデバイスからの第２のヘッダを復号するための手段と、
前記第２のヘッダが、前記第１の情報に対応する第２のヘッダ情報を含むと決定するための手段と、
前記第２のヘッダ情報を第２の記憶情報として記憶するための手段と、
前記第２のワイヤレスデバイスからの第３のヘッダを受信するための手段と、
前記第２のワイヤレスデバイスからの前記第３のヘッダを復号するための手段と、
前記第３のヘッダが、前記第２のヘッダ情報に対応するヘッダ情報を含まないと決定するための手段と、
前記第２の記憶情報に基づいて前記第３のヘッダを処理するための手段とをさらに備える、Ｃ４６に記載の第１の装置。
［Ｃ４８］
応答を生成するための前記手段は、前記装置によって処理可能であるＡ−ＭＳＤＵのタイプを示す少なくとも１ビットを備えるように前記応答を生成するように構成される、Ｃ４６に記載の第１の装置。
［Ｃ４９］
応答を生成するための前記手段は、Ａ−ＭＳＤＵのタイプを示す、前記応答中の前記少なくとも１ビットを、第１のＡ−ＭＳＤＵ、第２のＡ−ＭＳＤＵ、または前記第１および前記第２のＡ−ＭＳＤＵのうちの１つを示す値に設定するように構成され、前記第１のＡ−ＭＳＤＵはソースアドレスフィールドも宛先アドレスフィールドも含まず、前記第２のＡ−ＭＳＤＵは、ソースアドレスフィールドと宛先アドレスフィールドとを含む、Ｃ４８に記載の第１の装置。
［Ｃ５０］
前記第１の情報は、第１のフィールドまたは第２のフィールドのうちの少なくとも１つを備え、前記第１のフィールドまたは前記第２のフィールドのうちの前記少なくとも１つは、前記第１のヘッダに関連付けられたソースアドレスまたは宛先アドレスを備える、Ｃ４６に記載の第１の装置。
［Ｃ５１］
前記第１の情報は、第１のフィールド記憶フィールドまたは第２のフィールド記憶フィールドのうちの少なくとも１つをさらに備え、前記第１のフィールド記憶フィールドは、前記第１の装置に、前記第１のフィールドを記憶するよう要求するために１に設定され、前記第２のフィールド記憶フィールドは、前記第１の装置に、前記第２のフィールドを記憶するよう要求するために１に設定される、Ｃ５０に記載の第１の装置。
［Ｃ５２］
実行されると、第１の装置にワイヤレス通信の方法を行わせる命令が符号化された、コンピュータ可読媒体を備えるコンピュータプログラム製品であって、前記方法は、
前記第１の装置によって、第２の装置からの要求を受信することと、ここにおいて、前記要求は第１の情報を備える、
前記第１の装置によって、前記第１の情報を記憶するための要求を識別するために、前記第２の装置からの前記要求を復号することと、
前記第１の装置が前記第１の情報を記憶するかどうかを示す応答を生成することと、
前記応答を、前記第２の装置への送信用に出力することと、
第１の情報を第１の記憶情報として記憶することと、
前記第１の装置によって、前記第２の装置からの第１のヘッダを受信することと、
前記第１の装置によって、前記第２の装置からの前記第１のヘッダを復号することと、
前記第１のヘッダが、前記第１の情報に対応するヘッダ情報を含まないと決定することと、
前記第１の記憶情報に基づいて前記第１のヘッダを処理することとを備える、コンピュータプログラム製品。